(57)【要約】【課題】  ＦＭトランスミッタ等の送信機を備えた携帯端末において、アクセサリ機器の接続等で送信パワーが電波法等の規定から外れてしまう場合に有効に対処し、ユーザの使用感の変化をも少なくする。【解決手段】  ＦＭトランスミッタブロック１４は、送信パワーのデフォルト値が予め決められている。他ブロック１０は、ＦＭトランスミッタブロック１４やＦＭアンテナ１６とグランドを共有する一方でそれらとは別の回路となされている。他ブロック１０にシステムコネクタ２を介してアクセサリ機器３が接続される場合のように、当該他ブロック１０に関連して端末使用状態が変化した場合、ＦＭアンテナ１６のアンテナゲインが変化して送信パワーが変化する虞があるため、その際にはＦＭトランスミッタブロック１４の可変ゲインアンプ１８を調整することで送信パワーをデフォルト値に合わせるようにする。【選択図】  図１
2009253479.tif 000002
【特許請求の範囲】
【請求項１】
送信特性のデフォルト値が予め決められている信号送信部と、
少なくとも上記信号送信部が使用するアンテナと、
上記信号送信部及びアンテナとグランドを共有する一方で上記信号送信部とは別の回路部と、
上記別の回路部に関連した当該端末の使用状態の変化を監視する監視部と、
上記信号送信部が上記アンテナを使用して信号を送信する場合に、上記監視部が当該端末の使用状態の変化を検出した時、上記信号送信部の送信特性を上記デフォルト値から当該使用状態に最適化した特性へ調整する送信特性調整部とを有する携帯通信端末。
【請求項２】
上記監視部は、上記別の回路部に外部アクセサリが接続されることによる使用状態の変化を監視し、
上記送信特性調整部は、上記別の回路部に外部アクセサリが接続されることにより変化する上記信号送信部及びアンテナの送信特性と、上記デフォルト値との差分に応じて、上記信号送信部の送信特性を調整する請求項１記載の携帯通信端末。
【請求項３】
上記送信特性調整部は、上記別の回路部に外部アクセサリが接続されることにより変化する上記信号送信部及びアンテナの送信パワー特性と、上記デフォルト値として予め決められているデフォルト送信パワー特性との差分に応じて、上記信号送信部の送信パワー特性を調整する請求項２記載の携帯通信端末。
【請求項４】
上記別の回路部は、当該端末の使用国若しくは使用地域を表す情報を取得し、
上記監視部は、上記別の回路部が取得した使用国若しくは使用地域を表す情報の変化により、当該端末の使用状態の変化を監視し、
上記送信特性調整部は、上記監視部が上記使用国若しくは使用地域を表す情報の変化を検出した時、上記信号送信部の送信特性を、上記デフォルト値から当該使用国若しくは使用地域での使用状態に最適化した特性へ調整する請求項１記載の携帯通信端末。
【請求項５】
上記送信特性調整部は、当該使用国若しくは使用地域について決められた上記信号送信部及びアンテナの送信パワー特性と、上記デフォルト値として予め決められているデフォルト送信パワー特性との差分に応じて、上記信号送信部の送信パワー特性を調整する請求項４記載の携帯通信端末。
【請求項６】
上記送信特性調整部は、上記信号送信部及びアンテナの送信周波数特性を、上記デフォルト値として予め決められているデフォルト送信周波数特性から、上記使用国若しくは使用地域について決められた上記信号送信部及びアンテナの送信周波数特性へ調整する請求項４記載の携帯通信端末。
【請求項７】
上記別の回路部は、上記アンテナをも上記信号送信部と共有し、
上記監視部は、上記別の回路部に外部アクセサリが接続されることによる使用状態の変化を監視し、
上記送信特性調整部は、上記監視部が上記別の回路部に外部アクセサリが接続されることによる使用状態の変化を検出した時、上記別の回路部と上記アンテナとの間のパスを切断することで上記送信特性を調整する請求項１記載の携帯通信端末。
【請求項８】
上記送信特性調整部は、上記別の回路部に外部アクセサリが接続されることにより変化する上記信号送信部及びアンテナの送信特性と、上記デフォルト値との差分に応じて、上記信号送信部の送信特性を調整する請求項７記載の携帯通信端末。
【請求項９】
送信特性のデフォルト値が予め決められている信号送信部と、少なくとも上記信号送信部が使用するアンテナと、上記信号送信部及びアンテナとグランドを共有する一方で上記信号送信部とは別の回路部を有する携帯通信端末の送信特性制御方法であって、
上記別の回路部に関連した当該端末の使用状態の変化を監視部が監視するステップと、  上記信号送信部が上記アンテナを使用して信号を送信する場合に、上記監視部が当該端末の使用状態の変化を検出した時、送信特性調整部が、上記信号送信部の送信特性を上記デフォルト値から当該使用状態に最適化した特性へ調整するステップとを有する携帯通信端末の送信特性制御方法。
【発明の詳細な説明】
【技術分野】
【０００１】
本発明は、例えばＦＭ電波の送信機能を備えた携帯電話端末などの携帯通信端末とその送信特性制御方法に関する。
【背景技術】
【０００２】
最近の携帯電話端末は、多機能化が進み、携帯電話網へ接続するための送受信機の他に、例えばＦＭトランスミッタなどの送信機を備えているものも登場しつつある。
【０００３】
ここで、携帯電話端末に内蔵された送信機（ＦＭトランスミッタ等）は、一般的に、携帯電話端末単体での状態、すなわち例えばイヤホンやハンズフリーセット、バッテリーチャージャー等の各種アクセサリ機器を接続していない状態で、その送信レベルが規定されており、具体的には電波法に違反しない範囲で最大送信レベルが得られるように設定されている。また、携帯電話端末に搭載されるＦＭトランスミッタなどの送信機は、各国の仕様に合わせて、送信レベルや周波数帯、さらには送信の可・不可などについても設定されている。
【０００４】
なお、特開２００５−１６００２２号の公開特許公報（特許文献１）には、携帯電話機のコネクタに充電端子とアンテナ接続端子を設け、そのコネクタに外部アンテナのケーブルを接続することにより、携帯電話機の送受信感度を良好にすると共に、携帯電話機の充電も行えるようにした携帯電話機が開示されている。
【０００５】
【特許文献１】特開２００５−１６００２２号公報（図１）
【発明の開示】
【発明が解決しようとする課題】
【０００６】
上述したように、携帯電話端末に搭載されているＦＭトランスミッタ等の送信機においては、アクセサリ機器が接続されていない状態で送信レベルや周波数帯が設定されており、また、各国の仕様に合わせて送信の可・不可，送信レベル，周波数帯などが設定されている。
【０００７】
このため、例えば携帯電話端末にアクセサリ機器が接続された時に、当該送信機のアンテナゲインが変化することによって、例えば送信レベルが電波法にて規定されているレベルを超えてしまうような場合には、何らかの対処が必要になる。逆に、アクセサリ接続時のアンテナゲインの変化によって、例えば送信レベルが下がって信号送信品質が劣化するような場合には、ユーザの使用感が低下してしまうことになるため、何らかの対処が必要になる。また例えば、或る国向けに製造された携帯電話端末を他の国に持ち込むと、その国の電波法に抵触（違反）してしまうことがあり、その場合にも何らかの対処が必要となる。さらに例えば、規制の厳しい国向けに送信機の送信レベルが合わされた携帯電話端末を、規制の緩い国に持ち込んだような場合には、元々その国（規制の緩い国）向けに製造された携帯電話端末よりも、送信機の送信距離が短くなるため、ユーザの使用感に差がでる（相対的に使用感が悪くなる）という問題があり、この場合にも何らかの対処が必要となる。
【０００８】
本発明は、このような実情に鑑みて提案されたものであり、例えばＦＭトランスミッタ等の送信機を備えた携帯端末において、アクセサリ機器の接続や使用国の変更などのように、その端末の使用状態が変化することで電波法等の規定から外れてしまう虞がある場合に有効な対処ができ、また、ユーザにとっての使用感の変化をも少なくすることを可能とした携帯通信端末と送信特性制御方法を提供することを目的とする。
【課題を解決するための手段】
【０００９】
本発明の携帯通信端末は、送信特性のデフォルト値が予め決められている信号送信部と、少なくとも信号送信部が使用するアンテナと、信号送信部及びアンテナとグランドを共有する一方で信号送信部とは別の回路部と、別の回路部に関連した当該端末の使用状態の変化を監視する監視部と、信号送信部がアンテナを使用して信号を送信する場合に、監視部が当該端末の使用状態の変化を検出した時、信号送信部の送信特性をデフォルト値から当該使用状態に最適化した特性へ調整する送信特性調整部とを有することにより、上述した課題を解決する。
【００１０】
また、本発明の送信特性制御方法は、送信特性のデフォルト値が予め決められている信号送信部と、少なくとも信号送信部が使用するアンテナと、信号送信部及びアンテナとグランドを共有する一方で信号送信部とは別の回路部を有する携帯通信端末の送信特性制御方法であって、別の回路部に関連した当該端末の使用状態の変化を監視するステップと、信号送信部がアンテナを使用して信号を送信する場合に、当該端末の使用状態の変化が検出された時、信号送信部の送信特性をデフォルト値から当該使用状態に最適化した特性へ調整するステップとを有することにより、上述した課題を解決する。
【００１１】
すなわち本発明によれば、例えばアクセサリ機器が接続されたり、使用国が変更になった場合のように、当該端末の使用状態が変化したことで、信号送信部及びアンテナの送信特性が変動する場合に、その使用状態の変化による送信特性の変動分を相殺するように、信号送信部の送信特性を最適に調整する。
【発明の効果】
【００１２】
本発明においては、端末の使用状態が変化したことで、信号送信部及びアンテナの送信特性が変動する場合に、その使用状態の変化による送信特性の変動分を相殺するように、信号送信部の送信特性を最適に調整することにより、例えばＦＭトランスミッタ等の送信機（信号送信部）を備えた携帯通信端末において、例えばアクセサリ機器の接続や使用国の変更などのように、その端末の使用状態が変化することで電波法等の規定から外れてしまう虞がある場合に有効な対処ができ、また、ユーザにとっての使用感の変化をも少なくすることが可能となる。
【発明を実施するための最良の形態】
【００１３】
以下、図面を参照しながら、本発明の携帯端末の一実施形態について説明する。
【００１４】
なお、本実施形態では、本発明の携帯端末の一例として、ＦＭトランスミッタ等の送信機を内蔵した携帯電話端末を挙げているが、勿論、ここで説明する内容はあくまで一例であり、本発明はこの例に限定されないことは言うまでもない。また、送信機についても、ＦＭトランスミッタには限定されず、例えばいわゆるブルートゥース（Bluetooth：登録商標）やＵＷＢ（Ultra Wide Band）方式、無線ＬＡＮ（Local Area Network）などの近距離無線通信のための通信機などであってもよい。
【００１５】
［第１の実施形態の概略構成］
図１には、第１の実施形態の携帯電話端末１の概略構成を示す。なお、本実施形態の携帯電話端末は一般の携帯電話端末が備えている全ての構成要素を備えているが、図１ではそれらの図示については省略しており、本発明に係る主要部の構成のみを示している。
【００１６】
図１に示す本実施形態の携帯電話端末１において、システムコネクタ２は、例えばイヤホンやハンズフリーセット、バッテリーチャージャー、ＵＳＢケーブル等の各種アクセサリ機器３を接続可能なコネクタである。それらアクセサリ機器３は、機器本体と外部コネクタとを有し、それら機器本体と外部コネクタとがケーブルにより繋がれた構成となされている。そして、本実施形態では、そのアクセサリ機器１の外部コネクタが、当該携帯電話端末１のシステムコネクタ２に接続される。
【００１７】
他ブロック１０は、当該携帯電話端末１が備えている構成要素のうち、本発明に係るもの以外の構成要素（例えば携帯電話網と通信するための通信回路や通信アンテナ、音声処理回路、画像処理回路、ディスプレイ等の各種構成要素）を纏めて一つのブロックとして表したものである。
【００１８】
ＦＭトランスミッタブロック１４は、図示していない音声処理回路から端子１５を介して供給された音声信号をＦＭ変調する変調器１７と、当該変調器１７にてＦＭ変調されたＦＭ音声信号の送信レベルを調整する可変ゲインアンプ（ＶＧＡ）１８とを有している。なお、図１では、通常のＦＭトランスミッタが備えている局部発振器やＰＬＬ回路等の構成の図示については省略している。また、端子１５から供給される音声信号は、例えば再生音楽信号やラジオ音声信号、テレビジョン音声信号など様々な音声信号のうち、例えばユーザにより選択されてＦＭトランスミッタから送信することを指示された何れのかの音声信号となされる。
【００１９】
このＦＭトランスミッタブロック１４から出力されたＦＭ音声信号は、当該携帯電話端末１に内蔵されたＦＭアンテナ１６からＦＭ送信電波として外部へ放射される。
【００２０】
なお、上記ＦＭトランスミッタブロック１４やＦＭアンテナ１６は、当該携帯電話端末１に内蔵されているものであるため、当然のことながらグランド等を上記他ブロック１０等と共有している。
【００２１】
ここで、当該携帯電話端末１の出荷時における上記ＦＭトランスミッタブロック１４の送信レベル設定値は、システムコネクタ２にアクセサリ機器３等が接続されていない状態で所定レベル値（以下、デフォルトパワー値と表記する。）になるように設定されている。当該デフォルトパワー値は、具体的には、電波法に違反しない範囲で最大送信レベルが得られるような値に設定されている。
【００２２】
したがって、携帯電話端末１の使用状態に変化があった時、すなわち例えば、携帯電話端末１のシステムコネクタ２にアクセサリ機器３が接続されたような時には、上記ＦＭアンテナ１６のアンテナゲインが変化することにより送信レベルが変化してしまう虞がある。つまり、システムコネクタ２にアクセサリ機器３が接続された場合、当該携帯電話端末１のグランドが上記システムコネクタ２を介してアクセサリ機器３のケーブルにも接続されることになり、その接続されたケーブルが上記ＦＭアンテナ１６のアンテナゲインに影響を及ぼすことで、当該ＦＭアンテナ１６の放射レベルが変動（つまり送信レベルが変化）してしまう。特に、送信レベルが電波法にて規定されているレベルを超えるようになると、電波法に違反することになり問題となる。逆に、送信レベルが下がることで信号送信品質が劣化すると、ユーザの使用感が低下してしまい好ましくない。なお、ＦＭトランスミッタによるＦＭ音声信号の送信とアクセサリ機器３の同時使用の例としては、ハンズフリーセットにて音楽を聴きながら他のラジオ受信機等に音楽信号をＦＭトランスミッタから送信する例や、バッテリーチャージャーで携帯電話端末１を充電しながら他のラジオ受信機等に音楽信号をＦＭトランスミッタから送信する例などが考えられる。
【００２３】
本発明の第１の実施形態の携帯電話端末１は、このようなことに対処するために、以下に説明する構成を備えている。
【００２４】
アクセサリディテクタ１１は、上記システムコネクタ２に接続されており、当該システムコネクタ２へのアクセサリ機器３の接続を監視している。すなわち、アクセサリディテクタ１１は、例えば、システムコネクタ２に上記アクセサリ機器３の外部コネクタ等が接続された時に生ずる抵抗値の変化を監視しており、上記システムコネクタ２に何らかのアクセサリ機器３が接続されたことで生ずる抵抗値の変化を検出した時に、当該抵抗値の変化を示す値をＣＰＵ（中央処理ユニット）１３に送信する。
【００２５】
ＣＰＵ１３は、上記アクセサリディテクタ１１から上記抵抗値の変化を示す値を受け取ると、当該抵抗値の変化によりアクセサリ機器３がシステムコネクタ２に接続されたことを認識し、また、その抵抗値の例えば変化量により、何れの種類（タイプ）のアクセサリ機器３が接続されたのかを認識する。すなわちＣＰＵ１３は、システムコネクタ２へのアクセサリ機器３の接続のような、当該携帯電話端末１の使用状態の変化を監視している。
【００２６】
なお、アクセサリディテクタ１１は、上述のような抵抗値を監視するものの他に、例えばアクセサリ機器３から送られてくる固有ＩＤ（識別情報）を受信してＣＰＵ１３へ転送するものであってもよい。
【００２７】
その場合のＣＰＵ１３は、上記アクセサリディテクタ１１から転送された固有ＩＤの受信により上記システムコネクタ２にアクセサリ機器３が接続されたことを認識し、且つ、その固有ＩＤから当該アクセサリ機器３の種類を認識する。
【００２８】
その他にも、アクセサリディテクタ１１自身が、システムコネクタ２の抵抗値の変化及びその変化量やアクセサリ機器３の固有ＩＤ等から、上記上記システムコネクタ２にアクセサリ機器３が接続されたこと、及びそのアクセサリ機器３の種類の判別を行い、それら接続と種類判別結果の情報をＣＰＵ１３に送るようにしてもよい。
【００２９】
ＣＰＵ１３は、上述のようにして上記システムコネクタ２へのアクセサリ機器３の接続を認識し、さらにそのアクセサリ機器３の種類を認識すると、メモリ１２内に予め用意されている情報を参照する。
【００３０】
ここで、当該メモリ１２に用意されている情報は、例えば、アクセサリ機器の種類と、アクセサリ機器の種類別の送信レベル調整値とが対応付けられたルックアップテーブルの情報となされている。上記送信レベル調整値は、上記ＦＭトランスミッタブロック１４のデフォルトパワー値に対する差分値（つまりアンテナの放射レベルの変動分）に相当し、具体的には、上記可変ゲインアンプ１８のゲイン調整値となされている。すなわち言い換えると、上記メモリ１２のルックアップテーブルに記述されているゲイン調整値は、上記ＦＭトランスミッタブロック１４の送信レベルが上記デフォルトパワー値になる場合における当該可変ゲインアンプ１８のデフォルトゲイン値に対する差分値となされている。より具体的に説明すると、上記ルックアップテーブルのゲイン調整値は、システムコネクタ２に接続されたアクセサリ機器３の種類が、例えば上記ＦＭトランスミッタブロック１４の送信レベルを或るレベル分だけ上げる（つまりＦＭアンテナ１６のアンテナゲインを上げる）ような機器３である場合には、その送信レベルの変化量に相当する分だけ、上記可変ゲインアンプ１８のゲインを下げるような調整値となされ、逆に、システムコネクタ２に接続されたアクセサリ機器３の種類が、例えばＦＭトランスミッタブロック１４の送信レベルを或るレベル分だけ下げる（ＦＭアンテナ１６のアンテナゲインを下げる）ような機器３である場合には、その送信レベルの変化量に相当する分だけ、上記可変ゲインアンプ１８のゲインを上げるような調整値となされている。
【００３１】
そして、ＣＰＵ１３は、上記アクセサリ機器３の種類に基づいて上記メモリ１２から参照したゲイン調整値により、上記ＦＭトランスミッタブロック１４の可変ゲインアンプ１８を調整する。したがって、上記メモリ１２から参照されたゲイン調整値が、可変ゲインアンプ１８のゲインを例えば下げるような調整値である場合には、ＦＭトランスミッタブロック１４の送信レベルは下げられ、一方、上記メモリ１２から参照されたゲイン調整値が、可変ゲインアンプ１８のゲインを例えば上げるような調整値である場合には、ＦＭトランスミッタブロック１４の送信レベルは上げられることになる。
【００３２】
これにより、本実施形態の携帯電話端末１によれば、上記システムコネクタ２へアクセサリ機器３が接続された場合であっても、当該ＦＭトランスミッタブロック１４の送信レベルは、デフォルトパワー値に略々合わせられることになる。すなわち、本実施形態によれば、上記システムコネクタ２へのアクセサリ機器３の接続のような使用状態の変化により、当該ＦＭトランスミッタブロック１４の送信レベル変化のような送信特性の変動が発生する場合であっても、その送信レベルをデフォルトパワー値に略々合わせるような送信特性の最適化制御が可能となっている。
【００３３】
したがって、本実施形態によれば、システムコネクタ２にアクセサリ機器３が接続された場合でも、上記ＦＭアンテナ１６のアンテナゲインの変動が略々抑えられ、送信レベルが例えば電波法にて規定されているレベルを超えてしまったり、逆に、送信レベルが下がることにより信号送信品質が劣化してユーザの使用感が低下してしまう状態になることがない。すなわち本実施形態においては、システムコネクタ２へ接続されたアクセサリ機器３の種類に応じて送信パワーを制御することにより、電波法に準拠しつつ、ユーザビリティを確保することが可能であり、またアクセサリ機器３に対する使用制限を設ける必要もないため、様々なケースに対応可能となる。
【００３４】
その他、本実施形態によれば、特にＵＭＴＳ（Universal Mobile Telecommunications System）端末／ＧＳＭ（Global System for Mobile Communications）端末に関しては、アクセサリ機器３の接続に応じてＳＡＲ（Synthetic Aperture Radar）値を制限できることになるので、人体への悪影響を低減できるメリットもある。
【００３５】
［第１の実施形態の処理フロー］
図２には、第１の実施形態の携帯電話端末１において、システムコネクタ２へのアクセサリ機器３の接続監視処理と、アクセサリ機器３が接続された場合の送信パワー制御処理のフローチャートを示す。なおここでは、アクセサリディテクタ１１がアクセサリ機器３の接続を監視し、ＣＰＵ１３がアクセサリ機器３の種類を判断する場合を例に挙げて説明することとする。
【００３６】
図２において、ＦＭトランスミッタブロック１４からＦＭ音声信号を送信する処理が開始されると、アクセサリディテクタ１１は、ステップＳ１の処理として、システムコネクタ２にアクセサリ機器３が接続されたか否か監視する。システムコネクタ２にアクセサリ機器３が接続されていない場合、アクセサリディテクタ１１はその旨をＣＰＵ１３へ通知する。この場合のＣＰＵ１３は、ＦＭトランスミッタブロック１４の可変ゲインアンプ１８をデフォルトゲイン値に設定する。これにより、ＦＭトランスミッタブロック１４の送信パワーはデフォルトパワー値となり、ＦＭアンテナ１６からは当該デフォルトパワー値によりＦＭ音声信号が送信される。その後、アクセサリディテクタ１１は、ステップＳ５の処理として、アクセサリ機器３の接続監視を続ける。
【００３７】
一方、システムコネクタ２にアクセサリ機器３が接続されると、ステップＳ２の処理として、ＣＰＵ１３は、上記アクセサリディテクタ１１から送られてくる抵抗値の変化量やアクセサリ機器固有ＩＤなどの信号を基に、そのアクセサリ機器３の種類を認識する。
【００３８】
次にＣＰＵ１３は、ステップＳ３の処理として、メモリ１２のルックアップテーブルを参照することにより、アクセサリ機器３の種類に応じたアンテナゲインの変化分に相当するゲイン調整値を読み出す。
【００３９】
そして、ＣＰＵ１３は、ステップＳ４の処理として、そのゲイン調整値によりＦＭトランスミッタブロック１４の可変ゲインアンプ１８を調整することで、ＦＭアンテナ１６のアンテナ放射電力を制御する。その後、アクセサリディテクタ１１は、ステップＳ５の処理として、アクセサリ機器３の接続監視を続ける。
【００４０】
［第２の実施形態の概略構成］
図３には、第２の実施形態の携帯電話端末１の概略構成を示す。なお、本実施形態の携帯電話端末は一般の携帯電話端末が備えている全ての構成要素を備えているが、図３ではそれらの図示については省略しており、本発明に係る主要部の構成のみを示している。また、図３において、図１と略々同じ構成要素には図１と同一の指示符号を付し、それらの詳細な説明については省略する。
【００４１】
図３に示す本実施形態の携帯電話端末１において、セルラブロック３０は、携帯電話網用の通信アンテナ３１を通じて、様々な国の携帯電話網に接続して通信を行うための通信回路ブロックである。なお、各国ではそれぞれ携帯電話通信方式が異なる場合もあるため、当該セルラブロック３０はそれら各国の携帯電話通信方式に対応可能となされている。
【００４２】
ここで、本実施形態の携帯電話端末１のように各国で使用可能な端末において、ＦＭトランスミッタ等の送信機を使用する場合には、前述したアクセサリ機器３の接続時の送信パワー制御に加え、各国の電波法や各国毎の仕様に合わせて、送信の可・不可や送信レベル，周波数帯などの規格を満足させる必要がある。すなわち例えば、ＦＭトランスミッタ等の送信機による送信が禁止されている国では当該送信機の使用自体を制限しなければならず、また、デフォルトパワー値よりも小さな送信レベルでの送信が規定されている国では、当該送信レベルをデフォルトパワー値よりも落とさなければならず、逆に、デフォルトパワー値よりも大きな送信レベルが規定されている国では、当該送信レベルをデフォルトパワー値よりも上げることが可能となる。また、ＦＭトランスミッタ等の送信機による送信周波数幅についても同様であり、各国毎に規格を満足するようにしなければならなくなる。なお、国単位ではなく、地域単位で電波法による送信の可・不可や送信レベル，周波数帯などの規格が決められている場合には、それら地域単位での規格を満足させる必要があるが、本実施形態では国単位を例に挙げて説明することとする。
【００４３】
本発明の第２の実施形態の携帯電話端末１は、上述のようなことに対処するために、以下に説明する構成を備えている。
【００４４】
セルラブロック３０は、当該携帯電話端末１が使用される国の携帯電話網の基地局と通信した際に、その国の識別コードを取得し、その国識別コードをＣＰＵ１３へ転送する。これにより、ＣＰＵ１３は、携帯電話端末１が使用される国を認識する。これらセルラブロック３０や上記ＦＭトランスミッタブロック１４，ＦＭアンテナ１６は、当該携帯電話端末１に内蔵されているものであるため、当然のことながらグランドを共有している。
【００４５】
なお、当該携帯電話端末１が基地局圏外であり現時点で国識別コードを取得できない場合、ＣＰＵ１３は、前回取得してメモリ１２等に保持しておいた国識別コードにより当該携帯電話端末１が使用される国を認識する。その他にも、例えば、図示しないＧＰＳ機能により取得した現在位置の緯度・経度情報と各国の緯度・経度情報との参照により当該携帯電話端末１が使用される国を認識することも可能である。
【００４６】
ＣＰＵ１３は、上述のようにして当該携帯電話端末１が使用される国を認識すると、メモリ１２内に予め用意されている情報を参照する。
【００４７】
この第２の実施形態の場合、当該メモリ１２には、前述したアクセサリ機器と送信レベル調整値のルックアップテーブルに加えて、各国識別コードと、国別の送信可・不可情報や各国の電波法に規定された送信レベル値、各国の電波法に規定された送信周波数帯などが対応付けられたルックアップテーブルが用意されている。
【００４８】
すなわち、本実施形態のメモリ１２の国対応ルックアップテーブルは、例えば各国識別コードとそれら各国の電波法に規定された送信可・不可情報とが対応付けられたルックアップテーブルと、各国識別コードと各国電波法の規定送信パワー（具体的にはデフォルトパワー値に対する各国毎の規定送信レベル値との差分）とが対応付けられたルックアップテーブルと、各国識別コードと各国電波法の規定送信周波数帯（或いはデフォルトの送信周波数帯に対する各国毎の送信周波数帯の差分）とが対応付けられたルックアップテーブルが用意されている。
【００４９】
より具体的に説明すると、本実施形態の場合のＣＰＵ１３は、各国識別コードと各国電波法による送信可・不可情報のルックアップテーブルを参照することで、当該携帯電話端末１の使用国が「送信可」に規定された国である場合にはＦＭトランスミッタブロック１４からの送信を許可にし、当該携帯電話端末１の使用国が「送信不可」に規定された国である場合にはＦＭトランスミッタブロック１４を停止させて送信を不可に制御する。また、ＣＰＵ１３は、各国識別コードと各国電波法の規定送信パワーのルックアップテーブルを参照することで、当該携帯電話端末１の使用国の電波法が前記デフォルトパワー値よりも高い送信パワーを許している国である場合にはＦＭトランスミッタブロック１４の可変ゲインアンプ１８のレベルを上げて送信パワーを増加（その国の電波法の最大送信レベルまで増加）させ、一方、当該携帯電話端末１の使用国の電波法が前記デフォルトパワー値よりも低い送信パワーを許している国である場合にはＦＭトランスミッタブロック１４の可変ゲインアンプ１８のレベルを下げて送信パワーを低下（その国の電波法の最大送信レベル範囲まで低下）させる。また、ＣＰＵ１３は、各国識別コードと各国電波法の規定送信周波数帯のルックアップテーブルを参照することで、当該携帯電話端末１の使用国の電波法に送信周波数帯を合わせたり周波数チャネル数を合わせるように例えばＦＭトランスミッタブロック１４の変調器１７（或いは局部発振器の発振周波数）を制御する。なお、送信周波数を制御する場合、例えば当該携帯電話端末１の使用国の電波法により広い周波数帯域と多くの周波数チャネルが許される場合には、それら広い周波数帯域と周波数チャネル数を最大限に増やすように制御する。
【００５０】
これにより、本実施形態の携帯電話端末１においては、当該携帯電話端末１の使用国の電波法の規定を満足させることができる。すなわち、本実施形態によれば、携帯電話端末１の使用国が変わるような使用状態の変化により、当該ＦＭトランスミッタブロック１４の送信特性を変えることが必要になった場合であっても、その送信特性の最適化制御が可能となっている。
【００５１】
したがって、本実施形態によれば、例えば、ＦＭトランスミッタ等の送信機の使用が禁止されている国では、電波法に違反する送信を防ぐことができる。また、送信機の使用が許可されている国では、その国の電波法で規定された最大送信レベルでの送信が可能となり、特に、最大送信レベルがデフォルトパワー値より高く設定されている国の場合には、デフォルトパワー値で送信する場合よりも送信距離を伸ばすことができ、ユーザの使用感を向上させることができる。また、送信機の使用が許可されている国では、その国の電波法で規定された送信周波数帯での送信が可能となり、特に、送信周波数帯域が広く多くの送信周波数チャネル数が許可されている国では、それら周波数を使用することで、より大容量の情報を高速に通信できるようになる。すなわち、本実施形態においては、各国の電波法に応じた送信制御を行うことにより、携帯電話端末１の使用国が変更された場合であっても、各国の電波法に準拠しつつ、ユーザビリティを確保することを可能としている。
【００５２】
［第２の実施形態の処理フロー］
図４には、第２の実施形態の携帯電話端末１において、使用国の認識処理と、各国の電波法に応じた送信制御処理のフローチャートを示す。なおここでは、国識別コードによりＣＰＵ１３が使用国を判断し、その使用国に応じて送信の可否や送信レベル、送信周波数を設定する場合を例に挙げて説明することとする。なお、図４ではアクセサリ接続時の制御フローについては省略している。
【００５３】
図４において、セルラブロック３０は、ステップＳ１１の処理として、基地局の圏内であるか否かを監視しており、圏内である時にはステップＳ１２の処理として当該基地局との通信により国識別コードを取得し、その取得した国識別コードをＣＰＵ１３へ送る。
【００５４】
一方、圏外である場合、セルラブロック３０はその旨をＣＰＵ１３へ通知する。この場合のＣＰＵ１３は、ステップＳ１８の処理として、メモリ１２に保持している国識別コードを読み出す。
【００５５】
次に、ＣＰＵ１３は、ステップＳ１３の処理として、ステップＳ１２にて取得した国識別コード、若しくはステップＳ１８にて読み出した国識別コードと、それらステップＳ１２，ステップＳ１８で国識別コードを得る直前に認識していた国識別コードとが同じコードであるか否か判断し、同じである場合にはステップＳ１１へ処理を戻し、異なっている場合にはステップＳ１４へ処理を進め、その国識別コードをメモリ１２に蓄積する。
【００５６】
次に、ＣＰＵ１３は、ステップＳ１５へ処理を進め、先のステップＳ１２若しくはステップＳ１８で得た国識別コードを基に、前述したメモリ１２に用意されたその国の電波法に規定されたルックアップテーブルを参照し、その国の電波法に規定された送信可否や送信レベル、送信周波数等のパラメータを取得する。
【００５７】
次に、ＣＰＵ１３は、上記ルックアップテーブルから参照したパラメータを見ることで、ステップＳ１６の処理として、当該国の電波法ではＦＭトランスミッタ等の送信機からの送信が許可されているか否か判断する。
【００５８】
そして、送信が許可されていないと判断した場合、ＣＰＵ１３は、ステップＳ１９の処理として、ＦＭトランスミッタブロック１４を停止させて送信を禁止し、ステップＳ１１へ処理を戻す。
【００５９】
一方、送信が許可されていると判断した場合、ＣＰＵ１３は、ステップＳ１７の処理として、送信レベルと送信周波数を、上記ルックアップテーブルから参照したパラメータに応じて設定する。これにより、ＦＭトランスミッタブロック１４では、その設定された送信レベルと送信周波数による送信が行われる。その後、ＣＰＵ１３は、ステップＳ１１へ処理を戻す。
【００６０】
［第３の実施形態の概略構成］
図５には、第３の実施形態の携帯電話端末１の概略構成を示す。なお、本実施形態の携帯電話端末は一般の携帯電話端末が備えている全ての構成要素を備えているが、図５ではそれらの図示については省略しており、本発明に係る主要部の構成のみを示している。また、図５において、図１と略々同じ構成要素には図１と同一の指示符号を付し、それらの詳細な説明については省略する。
【００６１】
図５に示す本実施形態の携帯電話端末１において、ＦＭレシーバブロック５２は、例えばＦＭラジオ受信機である。このＦＭレシーバブロック５２は、ＦＭアンテナ１６を上記ＦＭトランスミッタブロック１４と共用している。そして、ＦＭレシーバブロック５２が受信したＦＭ音声信号は、システムコネクタ２に接続された例えばイヤホン等のアクセサリ機器３へ出力される。なお、これらＦＭレシーバブロック５２や上記ＦＭトランスミッタブロック１４，ＦＭアンテナ１６は、当該携帯電話端末１に内蔵されているものであるため、当然のことながらグランドを共有している。
【００６２】
ここで、上述のようにＦＭレシーバブロック５２とＦＭトランスミッタブロック１４が一つのＦＭアンテナ１６を共有した構成の携帯電話端末１において、例えば、ＦＭレシーバブロック５２にて受信したＦＭ音声信号を外部へ出力するためにシステムコネクタ２にイヤホン等のアクセサリ機器３が接続された場合には、前述の第１の実施形態で説明したのと同様に、上記ＦＭアンテナ１６のアンテナゲインが変化することにより、ＦＭトランスミッタブロック１４からの送信レベルが変化してしまう虞がある。勿論、本実施形態においても前述の第１の実施形態の場合と同様に、アクセサリ機器３の接続に応じてＦＭトランスミッタブロック１４の送信パワー制御を行うことで送信パワーの変化を抑えることができる。但し、本実施形態のように、特に、ＦＭレシーバブロック５２（受信機）とＦＭトランスミッタブロック１４（送信機）が一つのアンテナ１６を共有している構成の場合には、ＦＭアンテナ１６とＦＭトランスミッタブロック１４のアイソレーションを確保しつつ、送信パワーの変化を抑える必要がある。
【００６３】
本発明の第３の実施形態の携帯電話端末１は、上述のようなことに対処するために、以下に説明する構成を備えている。
【００６４】
本実施形態の携帯電話端末１において、ＦＭアンテナ１６とＦＭレシーバブロック５２との間には、ローノイズアンプ（ＬＮＡ）５７とダイオードスイッチ５８が設けられており、それらローノイズアンプ５７とダイオードスイッチ５８には低飽和レギュレータ（ＬＤＯ）５３から電源電力が供給されている。
【００６５】
そして、本実施形態において、ＣＰＵ１３は、当該携帯電話端末１がＦＭトランスミッタブロック１４からＦＭ音声信号を送信する動作モードになっている場合において、前記アクセサリディテクタ１１からアクセサリ機器３が接続されたことの通知を受けると、上記低飽和レギュレータ５３を制御して、上記ローノイズアンプ５７への電源電力の供給を停止させると共に、ダイオードスイッチ５８をＯＦＦにさせる。なお、ＦＭトランスミッタブロック１４からのＦＭ音声信号送信モード時には、アクセサリ機器３の接続の有無に拘わらずに常に受信機用パスを切断するようにしても良い。
【００６６】
すなわち本実施形態においては、システムコネクタ２にアクセサリ機器３が接続されている時に、ＦＭトランスミッタブロック１４からＦＭ音声信号を送信させるような使用状態の変化があった場合、ＦＭアンテナ１６からＦＭレシーバブロック５２へのパス（受信機が使用するパス）を切断することにより、ＦＭアンテナ１６とＦＭトランスミッタブロック１４のアイソレーションを確保しつつ、アクセサリ機器３の接続による送信パワーの変動を防ぐような送信特性の最適化制御を行うことで、電波法の準拠とユーザビリティの確保が可能となっている。
【００６７】
［第３の実施形態の処理フロー］
図６には、第３の実施形態の携帯電話端末１において、システムコネクタ２へのアクセサリ機器３の接続監視処理と、アクセサリ機器３が接続された場合の受信機用のパス切断処理のフローチャートを示す。なお、図６ではアクセサリ接続時の送信パワー制御のフローについては省略している。
【００６８】
図６において、ＦＭトランスミッタブロック１４からＦＭ音声信号を送信する処理を開始する場合、アクセサリディテクタ１１は、ステップＳ３１の処理として、システムコネクタ２にアクセサリ機器３が接続されているか否か監視する。システムコネクタ２にアクセサリ機器３が接続されていない場合、アクセサリディテクタ１１はその旨をＣＰＵ１３へ通知する。この場合のＣＰＵ１３は、ＦＭトランスミッタブロック１４の可変ゲインアンプ１８をデフォルトゲイン値に設定する。これにより、ＦＭトランスミッタブロック１４の送信パワーはデフォルトパワー値となり、ＦＭアンテナ１６からは当該デフォルトパワー値によりＦＭ音声信号が送信される。その後、アクセサリディテクタ１１は、ステップＳ３３の処理として、アクセサリ機器３の接続監視を続ける。
【００６９】
一方、システムコネクタ２にアクセサリ機器３が接続されている旨の通知を受けると、ＣＰＵ１３は、ステップＳ３２の処理として、低飽和レギュレータ５３を制御し、上記ローノイズアンプ５７への電源電力の供給を停止させると共にダイオードスイッチ５８をＯＦＦにさせることで、ＦＭレシーバブロック５２とＦＭアンテナ１６との間のパスを切断させる。その後、アクセサリディテクタ１１は、ステップＳ３３の処理として、アクセサリ機器３の接続監視を続ける。
【００７０】
〔まとめ〕
本発明の各実施形態によれば、ＦＭトランスミッタ等の送信機を備えた携帯電話端末１において、システムコネクタ２へアクセサリ機器３が接続された場合であっても、また使用国の変更等があった場合でも、ＦＭトランスミッタブロック１４の送信レベルを電波法に準拠しつつ最適なレベル（最も効率の良いレベル）に合わせることができ、また、ユーザにとっての使用感の変化が少なく高いユーザビリティを確保することが可能となる。
【００７１】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【図面の簡単な説明】
【００７２】
【図１】本発明の第１の実施形態の携帯電話端末の主要部の概略構成を示すブロック図である。
【図２】第１の実施形態の場合のアクセサリ機器の接続監視処理とアクセサリ機器接続時の送信パワー制御処理のフローチャートである。
【図３】本発明の第２の実施形態の携帯電話端末の主要部の概略構成を示すブロック図である。
【図４】第２の実施形態の場合の使用国の認識処理と各国の電波法に応じた送信制御処理のフローチャートである。
【図５】本発明の第３の実施形態の携帯電話端末の主要部の概略構成を示すブロック図である。
【図６】第３の実施形態の場合のアクセサリ機器接続監視処理とアクセサリ機器接続時の受信機用のパス切断処理のフローチャートである。
【符号の説明】
【００７３】
１  携帯電話端末、２  システムコネクタ、３  アクセサリ機器、１０  他ブロック、１１  アクセサリディテクタ、１２  メモリ、１３  ＣＰＵ、１４  ＦＭトランスミッタブロック、１５  音声信号の入力端子、１６  ＦＭアンテナ、１７  変調器、１８  可変ゲインアンプ、３０  セルラブロック、３１  セルラ用の通信アンテナ、５２  ＦＭレシーバブロック、５３  低飽和レギュレータ、５７  ローノイズアンプ、５８  ダイオードスイッチ
【図１】
2009253479.tif 000003
【図２】
2009253479.tif 000004
【図３】
2009253479.tif 000005
【図４】
2009253479.tif 000006
【図５】
2009253479.tif 000007
【図６】
2009253479.tif 000008